【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
ラジアル磁気軸受の回転部を具える回転子であって、前記回転部が、ハブと、複数のラミネーションと、センサターゲットリングと、第１のタッチダウンジャーナルと、第２のタッチダウンジャーナルと、を具える回転子と、
ラジアル磁気軸受の静止部とスラスト磁気軸受の静止部とを具える固定子であって、前記ラジアル磁気軸受の静止部が、電磁石セクタにそれぞれ具えられた３又はそれ以上の電磁石と、前記電磁石セクタを支持するよう構成された第１の支持板と、前記電磁石セクタを支持するよう構成された第２の支持板と、それぞれが前記３又はそれ以上の電磁石のうちの対応する電磁石に電気エネルギを出力するよう構成された３又はそれ以上のパルス幅変調増幅器であって、前記３又はそれ以上のパルス幅変調増幅器のそれぞれが対応するくさび形のボリュームに具えられ、各くさび形のボリュームが１対の前記３又はそれ以上の電磁石の間に放射状に配置されたパルス幅変調増幅器と、ネットワークからの通信接続部を受容するよう構成された第１の環状回路基板と、前記３又はそれ以上のパルス幅変調増幅器に制御信号を出力するよう構成された第２の環状回路基板と、前記回転子の半径方向の位置を検出するよう構成された複数の位置センサであって、前記複数の位置センサのそれぞれが１対の３又はそれ以上の電磁石の間に配置された位置センサと、電気エネルギが前記ラジアル磁気軸受に加えられていない場合に前記固定子から前記回転子を離すよう構成されたタッチダウンリングと、を具え、
前記スラスト磁気軸受の静止部が、２又はそれ以上の電磁石と、それぞれが前記２又はそれ以上の電磁石のうちの対応する電磁石に電気エネルギを出力するよう構成された２又はそれ以上のパルス幅変調増幅器であって、前記２又はそれ以上のパルス幅変調増幅器のそれぞれが対応するくさび形のボリュームに具えられており、各くさび形のボリュームが、対応する１対の前記２又はそれ以上の電磁石の間に放射状に配置されたパルス幅変調増幅器と、ネットワークからの通信接続部を受容するよう構成された第１の環状回路基板と、前記２又はそれ以上のパルス幅変調増幅器に制御信号を出力するよう構成された第２の環状回路基板と、を具えた固定子と、
を具えることを特徴とするシステム。
【請求項２】
第１のラジアル磁気軸受の静止部を具える固定子を具えるシステムであって、
前記静止部が、モジュール式の電磁石セクタにそれぞれ具えられた３又はそれ以上の電磁石と、
それぞれが前記３又はそれ以上の電磁石のうちの対応する電磁石に電気エネルギを出力するよう構成された３又はそれ以上のパルス幅変調増幅器であって、前記３又はそれ以上のパルス幅変調増幅器のそれぞれが、対応するくさび形のボリュームに具えられ、各くさび形のボリュームが１対の前記３又はそれ以上の電磁石の間に放射状に配置されたパルス幅変調増幅器と、
を具えることを特徴とするシステム。
【請求項３】
さらに、前記第１のラジアル磁気軸受の静止部をエネルギ源に電気的に接続するよう構成された接続箱を具えていることを特徴とする請求項２に記載のシステム。
【請求項４】
さらに、第２のラジアル磁気軸受の静止部を具えていることを特徴とする請求項２に記載のシステム。
【請求項５】
さらに、前記第１のラジアル磁気軸受の静止部に磁気的に接続するよう構成された第１のラジアル磁気軸受の回転部を具えていることを特徴とする請求項２に記載のシステム。
【請求項６】
さらに、前記第１のラジアル磁気軸受の静止部に磁気的に接続するよう構成された第１のラジアル磁気軸受の回転部を具えており、当該第１のラジアル磁気軸受の回転部が、
ハブと、
複数のラミネーションと、
センサターゲットリングと、
第１のタッチダウンジャーナルと、
第２のタッチダウンジャーナルと、
を具えていることを特徴とする請求項２に記載のシステム。
【請求項７】
さらに、前記３又はそれ以上の電磁石を支持するよう構成された支持板を具えていることを特徴とする請求項２に記載のシステム。
【請求項８】
さらに、前記３又はそれ以上の電磁石を支持するよう構成された第１の支持板と、
前記３又はそれ以上の電磁石を支持するよう構成された第２の支持板と、
を具えていることを特徴とする請求項２に記載のシステム。
【請求項９】
さらに、ネットワークからの通信接続部を受容するよう構成された環状回路基板を具えていることを特徴とする請求項２に記載のシステム。
【請求項１０】
さらに、前記３又はそれ以上のパルス幅変調増幅器に制御信号を出力するよう構成された環状回路基板を具えていることを特徴とする請求項２に記載のシステム。
【請求項１１】
さらに、ネットワークからの通信接続部を受容するよう構成された第１の環状回路基板と、
前記３又はそれ以上のパルス幅変調増幅器に制御信号を出力するよう構成された第２の環状回路基板と、
を具えていることを特徴とする請求項２に記載のシステム。
【請求項１２】
さらに、ネットワークからの通信接続部を受容するよう構成された環状回路基板を具えており、
前記環状回路基板が通信ポートを具えていることを特徴とする請求項２に記載のシステム。
【請求項１３】
さらに、前記固定子に関する回転子の半径方向の位置を検出するよう構成された複数の位置センサを具えており、
前記複数の位置センサのそれぞれが、対応する１対の前記３又はそれ以上の電磁石の間に配置されていることを特徴とする請求項２に記載のシステム。
【請求項１４】
さらに、前記センサに関する回転子の半径方向の位置を検出するよう構成された複数の位置センサを具えており、
前記複数の位置センサのそれぞれが、対応する１対の前記３又はそれ以上の電磁石の間に配置されており、
前記複数のセンサが８のセンサを具えていることを特徴とする請求項２に記載のシステム。
【請求項１５】
さらに、前記第１のラジアル磁気軸受に電力が供給されないときに、回転子を前記固定子から離すよう構成されたタッチダウンリングを具えていることを特徴とする請求項２に記載のシステム。
【請求項１６】
さらに、２又はそれ以上の電磁石を具えたスラスト磁気軸受の静止部を具えていることを特徴とする請求項２に記載のシステム。
【請求項１７】
前記第１のラジアル磁気軸受の静止部を具えた磁気軸受の回転部と前記磁気軸受の静止部との間のエアギャップが、０．０２０インチ未満であることを特徴とする請求項２に記載のシステム。
【請求項１８】
前記第１のラジアル磁気軸受の静止部を具えた磁気軸受の第１のタッチダウンリングと前記磁気軸受の回転部との間に規定されるギャップが、０．０１０インチ未満であることを特徴とする請求項２に記載のシステム。
【請求項１９】
スラスト磁気軸受の静止部を具える固定子を具えるシステムであって、
前記静止部が、モジュール式の電磁石セクタにそれぞれ具えられた２又はそれ以上の電磁石と、
それぞれが前記２又はそれ以上の電磁石のうちの対応する電磁石に電気エネルギを出力するよう構成された２又はそれ以上のパルス幅変調増幅器であって、前記２又はそれ以上のパルス幅変調増幅器のそれぞれが、対応するくさび形のボリュームに具えられ、各くさび形のボリュームが、対応する１対の前記２又はそれ以上の電磁石の間に放射状に配置されたパルス幅変調増幅器と、
を具えることを特徴とするシステム。
【請求項２０】
固定子の軸面から与えられる熱の５０パーセントよりも大きい熱を伝達するよう構成された支持板を具える固定子を具えるシステムであって、前記熱が、
ラジアル磁気軸受の静止部に具えられた３又はそれ以上の電磁石であって、それぞれがモジュール式の電磁石セクタに具えられた電磁石と、
それぞれが前記３又はそれ以上の電磁石のうちの対応する電磁石に電気エネルギを出力するよう構成された３又はそれ以上のパルス幅変調増幅器であって、前記３又はそれ以上のパルス幅変調増幅器のそれぞれが、対応するくさび形のボリュームに具えられ、各くさび形のボリュームが対応する１対の前記３又はそれ以上の電磁石の間に放射状に配置されたパルス幅変調増幅器と、を具える部品により生じることを特徴とするシステム。